【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
被験者の肌の色に基づいて所望の色を有する化粧品を提供するためのシステムにおいて、
前記システムは、
肌色マッチング装置と、
分注機と、
を含み、
前記肌色マッチング装置は、
前記被験者の肌に面するように構成された開口領域を有する光チャンバと、
前記光チャンバからの光路を有するように配置されたカメラと、
フラッシュと、
関連するメモリを有する肌色マッチングプロセッサと、
を含み、
前記肌色マッチングプロセッサは、
前記被験者の肌を照明するために前記フラッシュを作動させて、前記フラッシュからの光が、前記肌に面する前記開口領域を通って前記光チャンバに入射するようにし、
前記光チャンバ内の光の一部の画像を記録するために前記カメラを使用し、
前記記録された画像を処理して、前記記録された画像に由来するＲＧＢ色値を含む、前記肌の色を特徴付ける情報を提供する、
ように構成されており、
前記分注機は、複数のスロットを含み、それぞれのスロットは、別個の化粧品添加剤に関連付けられた少なくとも１つのシリンジを有するアセンブリを収容するように構成されており、それぞれのシリンジは、対応するアクチュエータに関連付けられており、
前記分注機は、コンピュータプロセスを実行するように構成された分注プロセッサを含み、
前記コンピュータプロセスは、
（ａ）製造すべき化粧品の添加剤比率の目標セットと体積とに基づいて、アクチュエータの変位を計算することを含み、なお、前記添加剤比率の目標セットは、以下のコンピュータプロセスを実行した結果であり、なお、前記以下のコンピュータプロセスとは、すなわち、
（ｉ）前記ＲＧＢ色値から被験者のＣＩＥ Ｌ ａ＊ｂ＊座標のセットを生成するプロセスと、
（ｉｉ）ＣＩＥ Ｌ ａ＊ｂ＊座標の別個のセットを、添加剤比率の対応する別個のセットにマッピングするレシピライブラリデータベースにアクセスするプロセスと、
（ｉｉｉ）前記被験者のＣＩＥ Ｌ ａ＊ｂ＊座標のセットに対する最小ユークリッド距離を有する一致を構成するＣＩＥ Ｌ ａ＊ｂ＊座標の目標セットを得るために、前記レシピライブラリデータベースから、前記ＣＩＥ Ｌ ａ＊ｂ＊座標の別個のセットの最近傍探索を実行するプロセスと、
（ｉｖ）前記ＣＩＥ Ｌ ａ＊ｂ＊座標の目標セットに対応する、添加剤比率の目標セットを取り出すプロセスと、
であり、
前記コンピュータプロセスはさらに、
（ｂ）前記計算された変位に応じて複数の前記シリンジを変位させるように複数のアクチュエータを作動させて、複数の前記化粧品添加剤のうちの少なくとも２つの混合物である化粧品を製造することを含む、
システム。
【請求項２】
それぞれのシリンジは、前記分注機内の対応するアクチュエータと連動するピストンを含む、
請求項１記載のシステム。
【請求項３】
それぞれのシリンジは、電子的なインターフェースを介して前記分注機と連動するアクチュエータを含む、
請求項１記載のシステム。
【請求項４】
それぞれのシリンジは、分配ストロークおよび充填ストロークの両方を有するように構成されており、
前記分注プロセッサはさらに、対応するリザーバから所与のシリンジを充填するための充填ストロークを実施するために、前記所与のシリンジに関連付けられた所与のアクチュエータを作動させるように構成されている、
請求項１記載のシステム。
【請求項５】
前記カメラ、前記フラッシュ、および前記肌色マッチングプロセッサは、モバイル装置に統合されており、これによって肌色マッチング処理は、前記モバイル装置内のプロセッサによって実施される、
請求項１記載のシステム。
【請求項６】
前記カメラは、関連する自動的なカメラ設定を有し、
前記画像を記録するために前記カメラを使用することは、
前記自動的なカメラ設定を無効にすることと、
前記フラッシュを低輝度に設定することと、
前記画像を捕捉する前に、前記フラッシュの光出力を安定させるために、前記フラッシュの設定後、所定の時間だけ待機することと、
を含む、
請求項１記載のシステム。
【請求項７】
前記肌色マッチングプロセッサはさらに、ユーザ入力、ユーザ嗜好、または民族誌学的情報のうちの少なくとも１つに応じて前記ＲＧＢ色値を提供するようにさらに構成されている、
請求項１記載のシステム。
【請求項８】
前記プロセス（ｉ）〜（ｉｖ）のうちの少なくとも１つは、前記分注プロセッサによって実行される、
請求項１記載のシステム。
【請求項９】
前記プロセス（ｉ）〜（ｉｖ）のうちの少なくとも１つは、前記分注機のネットワークインターフェースを介して前記分注機と通信するリモートソースによって実行される、
請求項１記載のシステム。
【請求項１０】
前記ＲＧＢ色値から被験者のＣＩＥ Ｌ ａ＊ｂ＊座標のセットを生成することは、
ユーザ入力、ユーザ嗜好、または民族誌学的情報のうちの少なくとも１つに応じて前記被験者のＣＩＥ Ｌ ａ＊ｂ＊座標のセットを生成することを含む、
請求項１記載のシステム。
【請求項１１】
前記分注機は、混合チャンバを有する混合器を含み、
前記混合器および前記スロットは、前記アセンブリが前記スロットに取り付けられている場合に、それぞれシリンジの出口が前記混合チャンバに直接的に結合されるように構成されている、
請求項１記載のシステム。
【請求項１２】
前記分注機は、前記複数のアクチュエータを操作することに基づいて、前記複数のシリンジから分配された化粧品添加物を受け取るように構成された混合チャンバを有する混合器を含み、
前記混合チャンバは、このような化粧品添加剤を前記混合チャンバ内で少なくとも部分的に混合するために、攪拌機、ベーン、またはタービュレータのうちの少なくとも１つを含む、
請求項１記載のシステム。
【請求項１３】
前記化粧品添加剤は、ファンデーション材料、ベース材料、鉱物充填材料、カバー力低下用材料、仕上げ材料、ＵＶ保護材料、ビタミン、またはスキンケア成分を含むグループから選択される少なくとも１つの非顔料添加剤と、複数の顔料添加剤と、を含む、
請求項１記載のシステム。
【請求項１４】
前記画像を記録することは、
前記フラッシュをオンにすることと、
前記画像を捕捉する前に、前記フラッシュの光出力を安定させるために、前記フラッシュをオンにした後、所定の時間だけ待機することと、
を含む、
請求項１記載のシステム。
【請求項１５】
それぞれのシリンジは、
前記充填ストロークの間に流体が前記リザーバから前記シリンジに移動されることを可能にする一方向入口弁と、
前記分配ストロークの間に流体が前記シリンジから出るように導かれることを可能にする一方向出口弁と、
を含む、
請求項４記載のシステム。
【請求項１６】
被験者の肌の色に基づいて所望の色を有する化粧品を提供するための方法において、
前記方法は、
（ｉ）前記被験者の肌を照明するためにフラッシュを作動させて、前記フラッシュからの光が、前記肌に面する、光チャンバの開口領域を通って前記光チャンバに入射するようにすることと、
（ｉｉ）前記光チャンバからの光路を有するように配置されたカメラを使用して、前記光チャンバ内の光の一部の画像を記録することと、
（ｉｉｉ）前記記録された画像を処理して、前記記録された画像に由来するＲＧＢ色値を含む、前記肌の色を特徴付ける情報を提供することと、
（ｉｖ）前記ＲＧＢ色値から被験者のＣＩＥ Ｌ ａ＊ｂ＊座標のセットを生成することと、
（ｖ）ＣＩＥ Ｌ ａ＊ｂ＊座標の別個のセットを、添加剤比率の対応する別個のセットにマッピングするレシピライブラリデータベースにアクセスすることと、
（ｖｉ）前記被験者のＣＩＥ Ｌ ａ＊ｂ＊座標のセットに対する最小ユークリッド距離を有する一致を構成するＣＩＥ Ｌ ａ＊ｂ＊座標の目標セットを得るために、前記レシピライブラリデータベースから、前記ＣＩＥ Ｌ ａ＊ｂ＊座標の別個のセットの最近傍探索を実行することと、
（ｖｉｉ）前記ＣＩＥ Ｌ ａ＊ｂ＊座標の目標セットに対応する、添加剤比率の目標セットを取り出すことと、
（ｖｉｉｉ）製造すべき化粧品の添加剤比率の目標セットと体積とに基づいて、分注機のためにアクチュエータの変位を計算することと、なお、前記分注機は、複数のスロットを含み、それぞれのスロットは、別個の化粧品添加剤に関連付けられた少なくとも１つのシリンジを有するアセンブリを収容するように構成されており、それぞれのシリンジは、対応するアクチュエータに関連付けられており、
（ｉｘ）前記計算された変位に応じて複数の前記シリンジを変位させるように複数のアクチュエータを作動させて、複数の前記化粧品添加剤のうちの少なくとも２つの混合物である化粧品を製造することと、
を含む方法。
【請求項１７】
前記フラッシュを作動させることは、
前記フラッシュをオンにすることと、
前記画像を捕捉する前に、前記フラッシュの光出力を安定させるために、前記フラッシュをオンにした後、所定の時間だけ待機することと、
を含む、
請求項１６記載の方法。
【請求項１８】
前記ＲＧＢ色値から被験者のＣＩＥ Ｌ ａ＊ｂ＊座標のセットを生成することは、
ユーザ入力、ユーザ嗜好、または民族誌学的情報のうちの少なくとも１つに応じて前記被験者のＣＩＥ Ｌ ａ＊ｂ＊座標のセットを生成することを含む、
請求項１６記載の方法。
【請求項１９】
複数のアクチュエータを作動させることは、
対応するリザーバから所与のシリンジを充填するための充填ストロークを実施するために、前記所与のシリンジに関連付けられた所与のアクチュエータを作動させることを含む、
請求項１６記載の方法。
【請求項２０】
前記プロセス（ｉｖ）〜（ｖｉｉ）のうちの少なくとも１つは、前記分注プロセッサによって実行される、
請求項１６記載の方法。
【請求項２１】
前記プロセス（ｉｖ）〜（ｖｉｉ）のうちの少なくとも１つは、前記分注機のネットワークインターフェースを介して前記分注機と通信するリモートソースによって実行される、
請求項１６記載の方法。
【請求項２２】
被験者の肌の色に基づいて所望の色を有する化粧品を提供するための分注機において、
（Ａ）前記分注機は、複数のスロットを含み、それぞれのスロットは、別個の化粧品添加剤に関連付けられた少なくとも１つのシリンジを有するアセンブリを収容するように構成されており、それぞれのシリンジは、対応するアクチュエータに関連付けられており、
（Ｂ）前記分注機は、コンピュータプロセスを実行するように構成された分注プロセッサを含み、
前記コンピュータプロセスは、
（ａ）製造すべき化粧品の添加剤比率の目標セットと体積とに基づいて、アクチュエータの変位を計算することを含み、なお、前記添加剤比率の目標セットは、以下のプロセスを実行した結果であり、なお、前記以下のプロセスとは、すなわち、
（ｉ）前記被験者の肌を照明するためにフラッシュを作動させて、前記フラッシュからの光が、前記肌に面する、光チャンバの開口領域を通って前記光チャンバに入射するようにするプロセスと、
（ｉｉ）前記光チャンバからの光路を有するように配置されたカメラを使用して、前記光チャンバ内の光の一部の画像を記録するプロセスと、
（ｉｉｉ）前記記録された画像を処理して、前記記録された画像に由来するＲＧＢ色値を含む、前記肌の色を特徴付ける情報を提供するプロセスと、
（ｉｖ）前記ＲＧＢ色値から被験者のＣＩＥ Ｌ ａ＊ｂ＊座標のセットを生成するプロセスと、
（ｖ）ＣＩＥ Ｌ ａ＊ｂ＊座標の別個のセットを、添加剤比率の対応する別個のセットにマッピングするレシピライブラリデータベースにアクセスするプロセスと、
（ｖｉ）前記被験者のＣＩＥ Ｌ ａ＊ｂ＊座標のセットに対する最小ユークリッド距離を有する一致を構成するＣＩＥ Ｌ ａ＊ｂ＊座標の目標セットを得るために、前記レシピライブラリデータベースから、前記ＣＩＥ Ｌ ａ＊ｂ＊座標の別個のセットの最近傍探索を実行するプロセスと、
（ｖｉｉ）前記ＣＩＥ Ｌ ａ＊ｂ＊座標の目標セットに対応する、添加剤比率の目標セットを取り出すプロセスと、
であり、
前記コンピュータプロセスはさらに、
（ｂ）前記計算された変位に応じて複数の前記シリンジを変位させるように複数のアクチュエータを作動させて、複数の前記化粧品添加剤のうちの少なくとも２つの混合物である化粧品を製造することを含む、
分注機。
【請求項２３】
それぞれのシリンジは、前記分注機内の対応するアクチュエータと連動するピストンを含む、
請求項２２記載の分注機。
【請求項２４】
それぞれのシリンジは、電子的なインターフェースを介して前記分注機と連動するアクチュエータを含む、
請求項２２記載の分注機。
【請求項２５】
それぞれのシリンジは、分配ストロークおよび充填ストロークの両方を有するように構成されており、
前記分注プロセッサはさらに、対応するリザーバから所与のシリンジを充填するための充填ストロークを実施するために、前記所与のシリンジに関連付けられた所与のアクチュエータを作動させるように構成されている、
請求項２２記載の分注機。
【請求項２６】
それぞれのシリンジは、
前記充填ストロークの間に流体が前記リザーバから前記シリンジに移動されることを可能にする一方向入口弁と、
前記分配ストロークの間に流体が前記シリンジから出るように導かれることを可能にする一方向出口弁と、
を含む、
請求項２５記載の分注機。
【請求項２７】
前記ＲＧＢ色値から被験者のＣＩＥ Ｌ ａ＊ｂ＊座標のセットを生成することは、
ユーザ入力、ユーザ嗜好、または民族誌学的情報のうちの少なくとも１つに応じて前記被験者のＣＩＥ Ｌ ａ＊ｂ＊座標のセットを生成することを含む、
請求項２２記載の分注機。
【請求項２８】
前記分注機は、混合チャンバを有する混合器を含み、
前記混合器および前記スロットは、前記アセンブリが前記スロットに取り付けられている場合に、それぞれのシリンジの出口が前記混合チャンバに直接的に結合されるように構成されている、
請求項２２記載の分注機。
【請求項２９】
前記分注機は、前記複数のアクチュエータを操作することに基づいて、前記複数のシリンジから分配された化粧品添加物を受け取るように構成された混合チャンバを有する混合器を含み、
前記混合チャンバは、このような化粧品添加剤を前記混合チャンバ内で少なくとも部分的に混合するために、攪拌機、ベーン、またはタービュレータのうちの少なくとも１つを含む、
請求項２２記載の分注機。
【請求項３０】
前記化粧品添加剤は、ファンデーション材料、ベース材料、鉱物充填材料、カバー力低下用材料、仕上げ材料、ＵＶ保護材料、ビタミン、またはスキンケア成分を含むグループから選択される少なくとも１つの非顔料添加剤と、複数の顔料添加剤と、を含む、
請求項２２記載の分注機。